(57)【要約】【課題】  高精細・高品位な背景画像と広視域角、大きな飛び出し感、高精細な三次元画像の融合が可能な三次元画像再生装置を提供する。【解決手段】三次元画像再生装置において、白色バックライト（１１）と、三次元画像と背景画像共用の第１のピンホールアレイ（１２）と、背景画像専用の第２のピンホールアレイ（１３）と、画像情報を持ったフィルター（１４）とを備え、第２のピンホールアレイ（１３）と第１のレンズアレイ（１２）とを融合させることにより、高精細背景付き三次元画像を表示する。【選択図】図２
2008009046.tif 000002
【特許請求の範囲】
【請求項１】
（ａ）三次元画像と背景画像共用の第１の白色点光源アレイと、
（ｂ）背景画像専用の第２の白色点光源アレイと、
（ｃ）画像情報を持ったフィルターとを備え、
（ｄ）前記第１の白色点光源アレイと前記第２の白色点光源アレイとを融合させることにより、高精細背景付き三次元画像を表示することを特徴とする三次元画像再生装置。
【請求項２】
請求項１記載の三次元画像再生装置において、前記第１の白色点光源アレイと前記第２の白色点光源アレイとで白色点光源ピッチが異なり、前記フィルターからの異なる距離の位置に前記第１の白色点光源アレイと前記第２の白色点光源アレイとが配置されることを特徴とする三次元画像再生装置。
【請求項３】
請求項２記載の三次元画像再生装置において、前記第１及び第２の白色点光源アレイが白色バックライトとピンホールアレイにより代用可能で、前記白色バックライト側に配置される三次元画像と背景画像共用の第１のピンホールアレイと、フィルター側に配置される前記背景画像専用の第２のピンホールアレイとを具備することを特徴とする三次元画像再生装置。
【請求項４】
（ａ）画像情報を持った発光型ディスプレイと、
（ｂ）該発光型ディスプレイから第１の距離に配置される、背景画像専用の第２のピンホールアレイと、
（ｃ）該第２のピンホールアレイから前記第１の距離より更に離れた第２の距離に配置される、三次元画像と背景画像共用の第１のピンホールアレイとを備え、
（ｄ）前記第１のピンホールアレイと前記第２のピンホールアレイとを融合させることにより、高精細背景付き三次元画像を表示することを特徴とする三次元画像再生装置。
【請求項５】
請求項４記載の三次元画像再生装置において、前記第２のピンホールアレイと前記第１のピンホールアレイとでピンホールアレイのピッチが異なることを特徴とする三次元画像再生装置。
【請求項６】
請求項５記載の三次元画像再生装置において、前記画像情報を持った発光型ディスプレイが白色バックライトと画像情報を持ったフィルターにより代用可能であることを特徴とする三次元画像再生装置。
【請求項７】
（ａ）画像情報を持った発光型ディスプレイと、
（ｂ）該発光型ディスプレイから第１の距離に配置される、背景画像専用の第２のレンズアレイと、
（ｃ）該第２のレンズアレイから前記第１の距離より更に離れた第２の距離に配置される、三次元画像と背景画像共用の第１のレンズアレイとを備え、
（ｄ）前記第１のレンズアレイと前記第２のレンズアレイとを融合させることにより、高精細背景付き三次元画像を表示することを特徴とする三次元画像再生装置。
【請求項８】
請求項７記載の三次元画像再生装置において、前記第２のレンズアレイと前記第１のレンズアレイとでレンズアレイのピッチが異なることを特徴とする三次元画像再生装置。
【請求項９】
請求項８記載の三次元画像再生装置において、前記画像情報を持った発光型ディスプレイが白色バックライトと画像情報を持ったフィルターにより代用可能であることを特徴とする三次元画像再生装置。
【発明の詳細な説明】
【技術分野】
【０００１】
本発明は、三次元画像再生装置に係り、特に、高精細背景付き三次元画像再生装置に関するものである。
【背景技術】
【０００２】
従来技術による立体画像あるいは三次元画像再生技術には種々のものがあるが、本発明に係る背景付き三次元画像再生に関連する技術は、本発明者らの提案による先行技術である背景付き立体像再生装置（下記特許文献１参照）が見受けられるに過ぎない。
【０００３】
本発明も先行技術（下記特許文献１）も共に本発明者らの独自開発技術である光線再生法に基づいているので、先行技術とともに光線再生法についても簡単に説明する。
【０００４】
図１２は先行技術である背景付き立体像再生装置（特開２００１−２３５７０８号公報に開示）の概略構成図であり、図１２（ａ）はその斜視模式図、図１２（ｂ）はその断面模式図である。
【０００５】
これらの図において、１０１は白色点光源アレイ、１０２は光線再生フィルター兼背景用パネル、１０３は背景用画素、１０４は光線再生用画素、１０５は再生光線群である。
【０００６】
これらの図に示すように、この背景付き立体像再生装置は、白色点光源アレイ１０１、光線再生フィルター兼背景用パネル１０２から構成されている。三次元画像再生原理は光線再生法と同様であり、白色点光源と光線再生フィルター上の透過点の組み合わせでこの２点を通る光線が再生され、透過点のカラーによりその光線は色づけされる。白色点光源アレイ１０１全体ではこれは光線群となる。これらの光線群が特定の空間上の１点に集まり、更に、そこより広がるように個々の透過点の位置が決められると、結局この空間上の１点物体が再生されることになる。三次元物体像は点物体の集合であるので、この透過点を多数個分布させることにより、生成光線群で三次元画像が形成される。これが光線再生法による三次元画像生成の原理である。つまり、光線再生法は、白色点光源アレイとカラーフィルターを組み合わせることで、方向、色などが独立に制御可能な複数本の光線束を生成し、それらを用いて構成される点像群によりカラー三次元画像を再生する方法である。この手法は眼の輻輳と調節に矛盾を生じない特徴を有する。
【０００７】
この光線再生法は、従来技法であるインテグラルフォトグラフィー（ＩＰ）と類似点があるものの、本質的には異なるものである。
【０００８】
ＩＰでは、フィルターに相当する多視点像が描かれた部分と観測者との間にマイクロレンズアレイなどの結像光学系が不可欠であり、これらにより描かれた多視点像が全てマイクロレンズアレイと観測者との間にある特定の同一面内に重なって反転結像され、それを観測者が見ることになる。見る角度により見え方が違うが眼のピント面はその特定面である。
【０００９】
一方、光線再生法では、三次元画像再生のための光線は白色点光源によるフィルターの影絵（シルエット）を用いているので、原理的にはフィルターと観測者との間にレンズやピンホールは必須ではない。また、影絵であるから絵は反転しない。レイズなどの光学系による結像を用いていないので、三次元画像はフィルターの前方にも後方にも形成することができる。
【００１０】
さて、人間の眼のレンズ（水晶体）は短焦点のため、観測者が形成された三次元画像にピントを合わせても、その後にあるフィルターもよく見えてしまう。つまり、この三次元画像生成システムの仕掛けが見えてしまう。しかしながら、この背景付き立体像再生装置（特開２００１−２３５７０８号公報に開示）では、フィルター部にべったりと背景画が描かれており、その１画素は面的に広がっているため、ここからの透過光は広い視角で広がる（背景部が透過型の場合）。観測者には背景画が広い範囲で観測できるため、見られたくない舞台裏が、見る価値のあるものとして利用されることになる。ところが、この技術には、光線再生のための１エレメント〔図１２（ａ）は５×５エレメント〕が背景となる画像の１画素に対応することから、高品位な背景画像と三次元画像の融合は非常に困難であるという問題があった。つまり、高精細な背景のためには白色点光源ピッチを小さくして、点光源密度を大きくする必要があるが、そうすると三次元画像の視域角あるいは飛び出し感が減少してしまうといった問題があった。
【特許文献１】特開２００１−２３５７０８号公報
【発明の開示】
【発明が解決しようとする課題】
【００１１】
従来の光線再生法に基づく三次元画像再生装置の最大の問題点は、人間の眼の被写界深度が深いこと及びフィルター部に散乱が存在すること等のために光線再生による三次元画像の他、フィルターや白色点光源アレイ等の装置の舞台裏まで見えてしまうことである。
【００１２】
先行技術である背景付き立体像再生装置は、不必要な散乱光を背景に埋もれさせることにより非常に明るく視野角の広い高画素の背景画とそれより飛び出した三次元画像、あるいはそれより奥の三次元画像を高ＳＮ比で再現するものである。
【００１３】
ところが、背景画像の画素数は白色点光源アレイの密度に依存する一方で、三次元画像の視域角、奥行き再現能力、解像度（画素数）にはトレードオフの関係があることから、大きな立体感を有した広視域角三次元画像再生と高精細な背景画像とは両立しない。つまり、従来技術では高精細・高品位な背景画像と広視域角、大きな飛び出し感、高精細な三次元画像との融合ができなかった。また、背景は二次元画像のみである。本発明では、背景は、装置近傍の高精細三次元画像で、その特別な場合として二次元背景があり得る。
【００１４】
本発明は、上記状況に鑑みて、装置近傍の高精細・高品位な三次元背景画像（特別な場合として高精細・高品位な二次元背景画像）と装置から遠方の空間に表示する広視域角、大きな飛び出し感、高精細な三次元画像との融合が可能な三次元画像再生装置を提供することを目的とする。
【課題を解決するための手段】
【００１５】
本発明は、上記目的を達成するために、
〔１〕三次元画像再生装置において、三次元画像と背景画像共用の第１の白色点光源アレイと、背景画像専用の第２の白色点光源アレイと、画像情報を持ったフィルターとを備え、前記第１の白色点光源アレイと前記第２の白色点光源アレイとを融合させることにより、高精細背景付き三次元画像を表示することを特徴とする。
【００１６】
〔２〕上記〔１〕記載の三次元画像再生装置において、前記第１の白色点光源アレイと前記第２の白色点光源アレイとで白色点光源ピッチが異なり、前記フィルターからの異なる距離の位置に前記第１の白色点光源アレイと前記第２の白色点光源アレイとが配置されることを特徴とする。
【００１７】
〔３〕上記〔２〕記載の三次元画像再生装置において、前記第１及び第２の白色点光源アレイが白色バックライトとピンホールアレイにより代用可能で、前記白色バックライト側に配置される三次元画像と背景画像共用の第１のピンホールアレイと、フィルター側に配置される前記背景画像専用の第２のピンホールアレイとを具備することを特徴とする。
【００１８】
〔４〕三次元画像再生装置において、画像情報を持った発光型ディスプレイと、この発光型ディスプレイから第１の距離に配置される、背景画像専用の第２のピンホールアレイと、この第２のピンホールアレイから前記第１の距離より更に離れた第２の距離に配置される、三次元画像と背景画像共用の第１のピンホールアレイとを備え、前記第１のピンホールアレイと前記第２のピンホールアレイとを融合させることにより、高精細背景付き三次元画像を表示することを特徴とする。
【００１９】
〔５〕上記〔４〕記載の三次元画像再生装置において、前記第２のピンホールアレイと前記第１のピンホールアレイとでピンホールアレイのピッチが異なることを特徴とする。
【００２０】
〔６〕上記〔５〕記載の三次元画像再生装置において、前記画像情報を持った発光型ディスプレイが白色バックライトと画像情報を持ったフィルターにより代用可能であることを特徴とする。
【００２１】
〔７〕三次元画像再生装置において、画像情報を持った発光型ディスプレイと、この発光型ディスプレイから第１の距離に配置される、背景画像専用の第２のレンズアレイと、この第２のレンズアレイから前記第１の距離より更に離れた第２の距離に配置される、三次元画像と背景画像共用の第１のレンズアレイとを備え、前記第１のレンズアレイと前記第２のレンズアレイとを融合させることにより、高精細背景付き三次元画像を表示することを特徴とする。
【００２２】
〔８〕上記〔７〕記載の三次元画像再生装置において、前記第２のレンズアレイと前記第１のレンズアレイとでレンズアレイのピッチが異なることを特徴とする。
【００２３】
〔９〕上記〔８〕記載の三次元画像再生装置において、前記画像情報を持った発光型ディスプレイが白色バックライトと画像情報を持ったフィルターにより代用可能であることを特徴とする。
【発明の効果】
【００２４】
本発明によれば、以下のような効果を奏することができる。
（１）高精細・高品位な背景画像と広視域角、大きな飛び出し感、高精細な三次元画像との融合が可能であり、少々荒くとも、飛び出し感が強い三次元画像と高精細な背景画像（二次元背景画像の場合はいわゆる従来の広告）との融合がなされることにより、店頭で人目を引き、集客効果の向上が期待できる。
（２）三次元画像再生パラメータに対して、ある程度独立に背景画像の解像度（画素数）等を決定することが可能であり、設計の自由度が高い。
【発明を実施するための最良の形態】
【００２５】
本発明の三次元画像再生装置は、三次元画像と背景画像共用の第１の白色点光源アレイと、背景画像専用の第２の白色点光源アレイと、画像情報を持ったフィルターとを備え、前記第１の白色点光源アレイと前記第２の白色点光源アレイとを融合させることにより、高精細背景付き三次元画像を表示する。
【実施例】
【００２６】
以下、本発明の実施の形態について詳細に説明する。
【００２７】
図１は本発明の高精細背景付き三次元画像再生の一例を示す図である。
【００２８】
この図において、１は企業名やロゴ等の高精細な背景画像、２はその背景画像と融合する三次元画像であり、企業名やロゴ等の高精細な背景画像（企業イメージ画像等）１を融合した三次元画像２による広告が示されている。このような高精細背景付き三次元画像再生への応用が期待される。
【００２９】
ここでは、本発明の核心となる背景画像と三次元画像との融合について述べる。
【００３０】
図２は本発明の実施例を示す高精細背景付き三次元画像再生装置の概略構成図である。簡単のため二次元背景画像の場合を例として説明する。
【００３１】
この図において、１１は白色バックライト、１２は三次元画像と背景画像共用の第１のピンホールアレイ、１３は背景画像専用の第２のピンホールアレイ、１４は画像情報を持ったフィルター、１５は背景用画素、１６は光線再生兼背景用画素、１７は再生光線群である。
【００３２】
ここでは、便宜的に白色点光源アレイを白色バックライト１１とピンホールアレイ１２，１３で代用しているが、構成はこれに限らない。すなわち、三次元画像と背景画像共用の第１の白色点光源アレイと、背景画像専用の第２の白色点光源アレイとを配置することで足りる。なお、高精細三次元背景の場合は、背景用白色点光源に対応させて光線再生法に基づき背景用画素を色付けする。
【００３３】
従来例では背景画像と三次元画像のための光線再生フィルターで白色点光源アレイを共用していたのに対し、本発明では第１のピンホールアレイ１２は三次元画像と背景画像共用、第２のピンホールアレイ１３は背景画像専用である。第１のピンホールアレイ１２に対して、ある程度独立に第２のピンホールアレイ１３のピッチや、フィルターとピンホールアレイ（白色点光源アレイ）間距離を設定できるため、所望の三次元画像の視域角、奥行き再現能力、解像度を保持したまま、高精細な背景画像を再生することが可能となる。
【００３４】
ここで、光線再生法における再生三次元画像の視域角、奥行き再現能力（飛び出し感）、解像度（精細さ）間のトレードオフの関係について説明する。
【００３５】
図３は本発明の実施例に含まれる白色点光源とフィルターとそれらの配置における視域角を示す図であり、図３（ａ）はフィルターと白色点光源アレイ間距離が大きい場合、図３（ｂ）はフィルターと白色点光源アレイ間距離が小さい場合をそれぞれ示している。
【００３６】
この図において、２１は白色点光源アレイ、２２は白色点光源、２３，２３′は画像情報を持ったフィルター、θ，θ′は視域角、Ｌは白色点光源２２とフィルター２３との間の距離、Ｌ′は白色点光源２２とフィルター２３′との間の距離である。
【００３７】
点光源ピッチが同じ場合、図３（ａ）に比べて、白色点光源２２とフィルター２３′との間の距離Ｌ′が小さくなると、図３（ｂ）に示すように、視域角θ′は大きくなる。ただし、画素の拡大が大きくなるので飛び出し感を小さくする必要がある。
【００３８】
図４は図３における画素の拡大についての説明図である。
【００３９】
この図において、図４（ａ）は点光源アレイとフィルター間距離が小さい場合を、図４（ｂ）は点光源アレイとフィルター間距離が大きい場合をそれぞれ示す図である。フィルタ上の画素の大きさが同じ場合、図４（ｂ）に示すように、Ｌが小さくなると、より画素の拡大が大きくなる。画素の拡大が大きくなると、三次元画像を再生する光線が太くなるため、装置から遠く離れた場所では表示三次元画像がぼやけてしまう。そのため、飛び出し感を犠牲にして装置近傍に三次元画像を再生する必要がある。
【００４０】
図５は本発明の実施例を示す第１の白色点光源アレイと第２の白色点光源アレイとの融合についての説明図である。
【００４１】
この図において、高精細化のために背景画像専用アレイ３１のピッチＰ1 は三次元画像と背景画像とで共用するアレイ３２のピッチＰ2 よりも小さくしている。このようにアレイのピッチが異なる条件で背景画像と三次元画像の視域角を同じ（θ＝θ′）とするために、それぞれのアレイ３１，３２とフィルター３３間距離Ｌ1 ，Ｌ2 は異なっている。背景画像専用アレイ３１とフィルター３３間距離Ｌ1 の方が三次元画像と背景画像とで共用するアレイ３２とフィルター３３間距離Ｌ2 よりも短いため、画素の拡大が大きく、背景画像としては飛び出し感の期待はできない。しかし、アレイ３１のピッチＰ1 が小さいため、フィルター３３近傍に高精細な背景画像（三次元も二次元も）の再生が可能である。これらのアレイを融合することで高精細・高品位背景付き三次元画像を再生する。
【００４２】
なお、白色点光源アレイ３１，３２の配置は、格子状に限定されることはなく、また、ピッチも１：３に限定されるものではない。
【００４３】
本発明によれば、いわゆる、飛び出しディスプレイ、飛び出し看板や壁掛けショーウィンドなど、主に宣伝媒体へ活用が可能であり、広告業界全般に著大な効果を発揮するものである。広告はインパクトが重要であり、必ずしも高精細な三次元画像が適しているとは限らない。少々荒くとも、飛び出し感が強い三次元画像と高精細な背景画像（２次元背景画像の場合は従来の広告）との融合がなされれば、特に店頭で人目を引き、集客効果の向上が期待できる。
【００４４】
更に、本発明では、
（１）コスト面で広告の大画面化に有利である。
（２）点光源アレイは、例えばＥＬシートとピンホールフィルム（印刷物）で代用可能なので、大量生産に向いているうえに、薄型化にも対応が可能である等の特長を有しており、実用化への展開は十分可能である。
【００４５】
以下、本発明の実施例を示すが、本発明はこれら実施例により限定されるものではない。この実施例は、説明を簡単にするため２次元背景画像について説明する。
【００４６】
図６は本発明の具体例を示す高精細背景付き三次元画像再生装置の概略構成図である。
【００４７】
この図において、４１は白色バックライト、４２は三次元画像と背景画像共用の第１のピンホールアレイ、４３は背景画像専用の第２のピンホールアレイ、４４は画像情報を持ったフィルター（カラーフィルター）、４５は再生三次元オブジェクトである。
【００４８】
背景画像兼光線再生用のピンホール（第１のピンホールアレイ４２）を背景画像専用ピンホール（第２のピンホールアレイ４３）が囲む構成となっている。第１のピンホールアレイ４２のピンホール間隔は第２のピンホールアレイ４３のピンホール間隔の３倍となっている。
【００４９】
図７は本発明と従来の背景付き三次元画像を示す図面代用の写真であり、図７（ａ）は本発明にかかる背景画像付き三次元画像、図７（ｂ）は従来の背景付き三次元画像である。
【００５０】
図７（ａ）は、本発明の実施例に基づく図６の構成により作製したものであり、第１のピンホールアレイ４２のピンホールのピッチは３ｍｍ、第２のピンホールアレイ４３のピンホールのピッチは１ｍｍとなっている。図７（ｂ）は従来技術に基づき作製したものであり、ピンホールアレイのピンホールのピッチは２．５ｍｍである。双方とも白色点光源アレイは白色バックライトとピンホールアレイで代用している。写真は正面から撮影したものである。本発明〔図７（ａ）〕によれば、従来の技術による図７（ｂ）に対して、同程度の三次元画像の画素数（解像度）・視域角を保持したまま、高品位な背景画像が融合されていることが確認される。
【００５１】
すなわち、図７（ａ）によれば、高品位な背景画像上にΣの３次元画像が飛び出している状態が確認できる。
【００５２】
図８は本発明の高精細背景付き三次元画像再生装置の第１の変形例を示す図である。
【００５３】
この図において、５１は画像情報を持った発光型ディスプレイ、５２は背景画像専用の第２のピンホールアレイ、５３は三次元画像と背景画像共用の第１のピンホールアレイである。
【００５４】
図９は本発明の高精細背景付き三次元画像再生装置の第２の変形例を示す図である。
【００５５】
この図において、６１は画像情報を持った発光型ディスプレイ、６２は第２のピンホールアレイに代わる第２のレンズアレイ、６３は第１のピンホールアレイに代わる第１のレンズアレイである。
【００５６】
この構成では、発光型で画像が表示できることが本質であるので、発光型ディスプレイであればよい。この発光型ディスプレイには液晶ディスプレイも含まれる。また、上記したように、バックライトに画像情報を有するフィルムを載せた構造であってもよい。当然、プラズマディスプレイ方式でもＣＲＴディスプレイ方式であってもよい。
【００５７】
また、上記から明らかなように、背景専用のピンホールアレイ、背景専用の白色点光源アレイ、背景専用のレンズアレイはいずれの構成においても、画像情報を持ったフィルタに一番近い距離に配置される。
【００５８】
また、発光型ディスプレイに代えて、白色バックライト上に配置される三次元画像あるいは高精細背景画像と三次元画像情報を持ったフィルター（フィルム）を配置するように構成することができる。
【００５９】
図１０は本発明の高精細背景付き三次元画像再生装置の第３の変形例を示す図である。
【００６０】
この図において、７１は白色バックライト、７２は白色バックライト７１上に配置される三次元画像あるいは高精細背景画像と三次元画像情報を持ったフィルター（フィルム）、７３は背景画像専用の第２のピンホールアレイ、７４は三次元画像と背景画像共用の第１のピンホールアレイである。
【００６１】
図１１は本発明の高精細背景付き三次元画像再生装置の第４の変形例を示す図である。
【００６２】
この図において、８１は白色バックライト、８２は白色バックライト８１上に配置される三次元画像あるいは高精細背景画像と三次元画像情報を持ったフィルター（フィルム）、８３は第２のピンホールアレイに代わる第２のレンズアレイ、８４は第１のピンホールアレイに代わる第１のレンズアレイである。
【００６３】
このように、本発明の高精細背景付き三次元画像再生装置の構成は種々変形することができる。
【００６４】
なお、本発明は上記実施例に限定されるものではなく、本発明の趣旨に基づき種々の変形が可能であり、これらを本発明の範囲から排除するものではない。
【産業上の利用可能性】
【００６５】
本発明の高精細背景付き三次元画像再生装置は、飛び出しディスプレイ、飛び出し看板や壁掛けショーウィンドなど、主に宣伝媒体へ利用が可能である。
【図面の簡単な説明】
【００６６】
【図１】本発明の高精細背景付き三次元画像再生の一例を示す図である。
【図２】本発明の実施例を示す高精細背景付き三次元画像再生装置の概略構成図である。
【図３】本発明の実施例に含まれる点光源とフィルターとそれらの配置における視域角を示す図である。
【図４】図３における画素の拡大についての説明図である。
【図５】本発明の実施例を示す第１の白色点光源アレイと第２の白色点光源アレイとの融合についての説明図である。
【図６】本発明の具体例を示す高精細背景付き三次元画像再生装置の概略構成図である。
【図７】本発明と従来の背景画像付き三次元画像を示す図面代用の写真である。
【図８】本発明の高精細背景付き三次元画像再生装置の第１の変形例を示す図である。
【図９】本発明の高精細背景付き三次元画像再生装置の第２の変形例を示す図である。
【図１０】本発明の高精細背景付き三次元画像再生装置の第３の変形例を示す図である。
【図１１】本発明の高精細背景付き三次元画像再生装置の第４の変形例を示す図である。
【図１２】先行技術である背景付き立体像再生装置の概略構成図である。
【符号の説明】
【００６７】
１    高精細な背景画像
２    高精細な背景画像と融合する三次元画像
１１，４１，７１，８１    白色バックライト
１２，４２，５３，７４    三次元画像と背景画像共用の第１のピンホールアレイ
１３，４３，５２，７３    背景画像専用の第２のピンホールアレイ
１４，４４，７２，８２    画像情報を持ったフィルター
１５    背景用画素
１６    光線再生兼背景用画素
１７    再生光線群
２１，３１，３２    白色点光源アレイ
２２    白色点光源
２３，２３′，３３      画像情報を持ったフィルター
θ，θ′    視域角
Ｌ，Ｌ′    白色点光源とフィルターとの間の距離
４５    再生三次元オブジェクト
５１，６１    発光型ディスプレイ
６２，８３    第２のレンズアレイ
６３，８４    第１のレンズアレイ
【図３】
2008009046.tif 000003
【図４】
2008009046.tif 000004
【図５】
2008009046.tif 000005
【図１０】
2008009046.tif 000006
【図１１】
2008009046.tif 000007
【図１】
2008009046.tif 000008
【図２】
2008009046.tif 000009
【図６】
2008009046.tif 000010
【図７】
2008009046.tif 000011
【図８】
2008009046.tif 000012
【図９】
2008009046.tif 000013
【図１２】
2008009046.tif 000014